(57)【要約】      （修正有）【課題】複数の広告灯ケースの増設時に、電気コードを新たに取り付ける必要はなく、取り付け使用が便利、省スペース及び美観の効果を達成できる直列接続式灯ケースの電気接続装置を提供する。【解決手段】灯ケース１と、少なくとも２組の接続装置２とを含み、灯ケースに灯ケースシートを固定するための筐体１１と、筐体の内部に取り付けられて、灯ケースシートを照明する光源１３とを有し、光源は接続装置と電気接続し、接続装置は灯ケースの筐体に取り付けられ、フック２１とラグ２２と導電体とを含み、フックとラグは導電性部材によって仕上げられ、導電体を介して電気接続し、フックとラグを灯ケース筐体の２つの対向する側面に繋いで、隣接する２つの灯ケースの固定及び導電接続を行う。【選択図】図１
0003209515.tif 000002
【実用新案登録請求の範囲】
【請求項１】
直列接続式灯ケースの電気接続装置であって、
灯ケースと、少なくとも２組の接続装置とを含む、前記灯ケースに灯ケースシートを固定するための筐体と、前記筐体内部に取り付けていて前記灯ケースシートを照明する光源とを設けられ、前記光源を前記電気接続装置と電気接続しており、前記電気接続装置を前記灯ケースの筐体に取り付け、
前記電気接続装置は、フックとラグと導電体を有し、前記フックと前記ラグを導電性部材によって仕上げられ、前記導電体を介して電気接続を形成し、前記フックと、前記ラグを前記灯ケースの前記筐体２つの対向する側面に取り付け、隣接する前記２つの灯ケースを繋いで使用するときに、前記灯ケースの前記フックによって、前記もう一つの灯ケースの前記ラグに吊り掛けて、固定及び接続導電を形成することを特徴とする、直列接続式灯ケースの電気接続装置。
【請求項２】
前記電気接続装置の導電体は、電気コードまたは金属バーであることを特徴とする、請求項１記載の直列接続式灯ケースの電気接続装置。
【請求項３】
前記２つの電気接続装置の前記導電体は、２つをそれぞれ絶縁分離した筐体の半部であることを特徴とする、請求項１記載の直列接続式灯ケースの電気接続装置。
【考案の詳細な説明】
【技術分野】
【０００１】
本考案は、灯ケースの対向する側面に２つの対向する側面に取り付けて、互いに電気接続するフックと、ラグが直列接続使用するときに、灯ケースのフックをもう一つの灯ケースのラグに締結すれば、もう一つの灯ケースと電気接続を形成する直列接続式灯ケースの電気接続装置に関する。
【背景技術】
【０００２】
一般の広告灯ケースは主に、箱体と、箱体内部に取り付ける発光装置と、外付けされる広告図案によって構成されている。そのうち、発光装置は、発光素子と、電気コードを有する。電気コードの一端を発光素子と電気接続し、他端が箱体を貫いて箱体外部に露出して、外部の電源装置に繋いで、電気を発光素子に供給し、発光素子の光線によって広告図案を照射させ、広告内容を浮き彫りにして、人の注意をひきつけて、商売、お客様の誘致効果を達成する。
【考案の概要】
【考案が解決しようとする課題】
【０００３】
さらに、使用者が広告効果を向上させるには、複数の広告灯ケースを増設する場合には、複数の広告灯ケース外側に電気コードを取り付ける必要があり、乱れて美観性を欠けるほか、空間配置が難しく、取り付け不便等種々の問題を引き起こされる。
【課題を解決するための手段】
【０００４】
本考案の主な目的は、灯ケースの対向する側面に２つの対向する側面に取り付けて、互いに電気接続するフックと、ラグを利用して、接続使用するときには、灯ケースのフックをもう一つの灯ケースのラグに締結すれば、もう一つの灯ケースと電気接続を形成し、取り付け使用が便利、省スペース及び美観の効果を達成できる。
【０００５】
前述目的を達成するため、本考案による直列接続式灯ケースの電気接続装置は、灯ケースと、少なくとも２組の接続装置とを含む、灯ケースに灯ケースシートを固定するための筐体と、筐体の内部に取り付けていて、灯ケースシートを照明する光源とを有し、光源を電気接続装置と電気接続し、電気接続装置を灯ケースの筐体に取り付けていて、かつ、電気接続装置にフックと、ラグと、導電体とを含む、フックと、ラグが導電性部材によって仕上げられ、導電体を介して電気接続を形成し、フックと、ラグを灯ケース筐体２つの対向する側面に繋いで、隣接する２つの灯ケースを繋いで使用するときに、灯ケースのフックをもう一つの灯ケースのラグに吊り掛けて、固定及び接続導電を形成する。
【図面の簡単な説明】
【０００６】
【図１】本考案の灯ケースによる立体外観図である。
【図２】本考案の灯ケースもう一つの視角による立体外観図である。
【図３】本考案の灯ケースと、灯ケースシートの立体分解図である。
【図４】本考案の灯ケースによる２つの灯ケースを接続使用するときの立体外観図である。
【図５】図４に係るＡ部分の拡大図である。
【図６】本考案の灯ケースと電源装置を接続された態様図である。
【図７】本考案において、第１種導電体を取り付けた態様図である。
【図８】本考案において、第２種導電体を取り付けた態様図である。
【考案を実施するための形態】
【０００７】
以下、添付図面を参照して本考案の実施の形態を詳細に説明する。
【実施例】
【０００８】
図１ないし図３を参照する。図からはっきり分かるように、本考案による直列接続式灯ケースの電気接続装置は、灯ケース１と、少なくとも２組の接続装置２とを含む。
【０００９】
灯ケース１には、灯ケースシート１２を固定するための筐体１１と、筐体１１内部に取り付けて灯ケースシート１２を照明する光源１３を含む、光源１３は導光柱またはＬＥＤライトバーであり、光源１３電気接続装置２に電気接続されている。図示の実施例において、筐体１１の一側にスロット１１１を設けており、灯ケースシート１２をスロット１１１によって筐体１１内部に挿入して固定を形成する。使用者は必要のときに、灯ケースシート１２を手軽に交換できる。
【００１０】
引き続き、図２、図３と図７を参照する。図からはっきり分かるように、電気接続装置２はフック２１と、ラグ２２と、導電体２３とを含む。フック２１と、ラグ２２が導電性部材によって仕上げられ、導電体２３を介して電気接続を形成する。さらに、フック２１と、ラグ２２を灯ケース１筐体１１の２つの対向する側面に取り付けられている。図示の実施例において、電気接続装置２の導電体２３は、電気コードまたは金属バーを実施する。
【００１１】
引き続き、図１、図４、図５と図６を参照する。図からはっきり分かるように、２つの隣接する灯ケース１を繋いで接続使用するときには、灯ケース１上部のフック２１をもう一つ灯ケース１底部のラグ２２に締結し、灯ケース１を垂直にもう一つ灯ケース１の下方に吊り掛けて固定を形成し、引き続き互いに締結するフック２１と、ラグ２２を介して接続導電させる。図４に示すように、灯ケース１と、電源装置３と便利な接続を図るため、フック２１をラグ２２に取り替えても良い。これにより、第１の灯ケース１を直流電源の電源装置３に電気接続した場合は、第１の灯ケース１に電気を供給し、灯ケース１内部の光源１３を発光させて、灯ケースシート１２を照射させ、広告内容をうきにすると共に、人の目をひきつけて、商売とお客様誘致効果を達成する、さらに、その下方に吊り掛ける各灯ケース１に電気供給し、灯ケース１を無限に直列接続して延長使用できる。
【００１２】
引き続き図８を参照する。図からはっきり分かるように本考案の第２実施例と前述第１実施例と異なる点は、灯ケース１’は導電性の２つの筐体の半部１１’によって組み合わされている。２つの筐体の半部１１’の間に絶縁部１４’を設けていて、電気接続装置２のフック２１と、ラグ２２が筐体の半部１１’を介して、電気接続を形成する。
【００１３】
よって、本考案が公知課題と、欠点を解決する主な技術は、灯ケース１の対向する側面に２つの対向する側面に取り付けて、互いに電気接続するフック２１と、ラグ２２を利用して、接続使用するときには、灯ケース１のフック２１をもう一つの灯ケース１のラグ２２に締結すれば、もう一つの灯ケース１と電気接続を形成し、取り付け使用が便利、省スペース及び美観の効果を達成できる。
【符号の説明】
【００１４】
１、１’    灯ケース
１１      筐体
１１’    筐体の半部
１１１  スロット
１２    灯ケースシート
１３    光源
１４’    絶縁部
２      電気接続装置
２１    フック
２２    ラグ
２３    導電体
３      電源装置
【図１】
0003209515.tif 000003
【図２】
0003209515.tif 000004
【図３】
0003209515.tif 000005
【図４】
0003209515.tif 000006
【図５】
0003209515.tif 000007
【図６】
0003209515.tif 000008
【図７】
0003209515.tif 000009
【図８】
0003209515.tif 000010